(57)【特許請求の範囲】
【請求項１】
知能感知の防雨日よけであって、外殻を含み、前記外殻の内部の左端には伝動空間が設置され、前記外殻の内部の右端には窓口が設置され、前記窓口の上側には上方に開口した集水空間が設置され、前記伝動空間の中には伝動機構が設置され、前記窓口の中には窓口を雨水と隔離する隔離機構が設置され、前記窓口の中の下端には窓口の開閉を制御できる感知復帰機構が設置され、前記伝動空間の中には雨を感知して日よけのため水を排出できる感知排水機構が設置され、前記感知排水機構は前記伝動空間の上壁に回転可能に連結された回転棒を含み、前記回転棒の上端には回転歯車が設置され、前記回転棒の下端には第一傘歯車が設置され、前記伝動空間の上端の左右壁にはラックが貫通するように連結され、前記ラックの右端が前記集水空間の中に延びて前記回転歯車と噛み合うように連結され、前記集水空間の中には前記集水空間の中で左右スライド可能な排水板が設置され、前記排水板の中には左方に開口した活動空間が設置され、前記活動空間の中には前記活動空間の中で左右スライド可能な固定板が設置され、前記固定板の左端面には前記活動空間の左壁と連結された弾性ばねが固定的に設置され、前記固定板の左端面が前記ラックの右端面と固定的に連結され、前記排水板の左端面には復帰ばねが前記外殻の左壁と連結されるように設置され、前記集水空間の下壁には上方に開口した押しブロック空間が設置され、前記押しブロック空間の中には前記押しブロック空間の中で上下スライド可能な押しブロックが設置され、前記押しブロックの下端面には前記押しブロック空間の下壁と連結された伸長ばねが固定的に設置され、前記押しブロックの左端面にはロープの一端が固定的に連結され、前記押しブロック空間の左側には通電空間が設置され、前記通電空間の右端には固定導電ブロックが固定され、前記固定導電ブロックの右端が電線により電源と連結され、前記通電空間の左端には前記通電空間の中でスライド可能な移動導電ブロックが設置され、前記移動導電ブロックの左端面には圧力ばねが前記通電空間の左壁と連結されるように固定的に設置され、前記移動導電ブロックの左端面には導線が連結され、前記通電空間の下壁には上方に開口した止めブロック空間が設置され、前記止めブロック空間の中には前記止めブロック空間の中で上下スライド可能な止めブロックが設置され、前記止めブロックの下端面には支持ばねが前記止めブロック空間の下壁と連結されるように固定的に設置され、前記止めブロックの下端面には引縄が固定的に連結され、
前記伝動機構は、前記伝動空間の左壁に固定されたモータを含み、前記モータの右端には伝動軸が伝動可能に連結され、前記伝動軸の右端にはスライド歯車がキージョイントにより連結され、前記スライド歯車の中には左方に開口したスライド空間が設置され、前記スライド空間の中には前記スライド空間の中でスライド可能なスライダが設置され、前記スライダの左端面には細縄が固定的に連結され、前記伝動軸の右側には環状ブロックが設置され、前記環状ブロックの左端面には二本の圧縮ばねが前記スライド歯車の右端面と連結されるように固定的に設置され、前記伝動空間の前後壁には固定軸が回転可能に連結され、前記固定軸には定滑車が設置され、前記定滑車は前記細縄を案内でき、前記伝動軸の左端にはラチェットが設置され、前記ラチェットの中には外方に開口した伸縮空間が十二個設置され、前記伸縮空間の中には前記伸縮空間の中で上下スライド可能な台形ブロックが設置され、前記台形ブロックの下端面にはいずれも前記伸縮空間の下壁と連結された伸縮ばねが設置され、
前記隔離機構は、前記伝動空間の左壁と前記窓口の右壁に回転可能に連結された回転軸を含み、前記回転軸の左端には前記第一傘歯車と噛み合うように連結された第二傘歯車が設置され、前記回転軸の左端には前記第二傘歯車の右側に位置しかつ前記スライド歯車と噛み合うように連結された主動歯車が設置され、前記回転軸の右端には前記窓口の中に位置する巻上カーテンリールが設置され、前記巻上カーテンリールには巻上カーテンが巻きつけられ、前記巻上カーテンの下端には磁性を有する巻上カーテンが設置され、前記窓口の下壁には上方に開口した制限空間が設置され、
前記感知復帰機構は、前記伝動空間の左右壁に回転可能に連結された旋転軸を含み、前記旋転軸の左端には前記ラチェットと噛み合うように連結された従動歯車が設置され、前記旋転軸の右端には主動プーリが設置され、前記主動プーリにはベルトが連結され、前記制限空間の下壁には上方に開口した磁力感知空間が設置され、前記磁力感知空間の左右壁には第二回転軸が回転可能に連結され、前記第二回転軸の左端が前記伝動空間の中に延びており、前記第二回転軸の右端には前記磁力感知空間の中に位置する磁性ブロックが設置され、前記磁性ブロックは上端が磁石と吸い合うことができ、下端が前記磁石と反発し合うことができ、前記第二回転軸の左端には前記伝動空間の中に位置する従動プーリが設置され、前記従動プーリには前記主動プーリが前記ベルトにより連結され、前記窓口の下壁には上方に開口したプレスブロック空間が設置され、前記プレスブロック空間の中には前記プレスブロック空間の中で上下スライド可能なプレスブロックが設置され、前記プレスブロックの下端面には弾力ばねが前記プレスブロック空間の下壁と連結されるように固定的に設置され、前記プレスブロックの左端面には前記細縄の一端が連結され、前記プレスブロックの右端面には前記引縄の一端が連結され、
初期状態のとき、前記磁性ブロックにおいて前記磁石と吸い合う一端が上方に向き、前記スライド歯車が前記主動歯車と噛み合っており、
前記復帰ばねの牽引力は前記排水板が前記集水空間の中でスライドする時に受ける摩擦力より大きく、
前記感知排水機構は、前記集水空間の右壁に位置しかつ外部と連通した排水口を含み、前記排水口の上壁には下方に開口した回転空間が設置され、前記回転空間の前後壁には固定棒が回転可能に連結され、前記固定棒には回転板が回転可能に連結され、前記回転板と前記固定棒とがねじりばねにより連結され、
雨脚が大きいとき、雨が前記集水空間の中に落ちて水圧が左方に前記排水板を押し動かすほど貯まると、前記排水板が左方に移動し、前記排水板が離れて前記押しブロックを押圧し、前記押しブロックが前記伸長ばねの弾力により上方へ移動し、前記ロープが引っ張られ、前記移動導電ブロックが前記ロープに引き動かされた右方に移動して前記固定導電ブロックと連結されて電流を通し、前記ロープと前記固定導電ブロックとが連結された後に前記止めブロックが前記移動導電ブロックの加圧を失って前記支持ばねの作用により上方に移動して前記移動導電ブロックを制限し、前記移動導電ブロックが前記圧力ばねの作用により左方へ移動し復帰することを阻止し、前記移動導電ブロックが電源と接続された後、前記モータが作動することを特徴とする知能感知の防雨日よけ。
【発明の詳細な説明】
【技術分野】
【０００１】
本願発明は日よけ分野に関し、具体的には知能感知の防雨日よけに関する。
【背景技術】
【０００２】
窓は光や空気を通すと同時に、雨水に侵入される。出掛ける時に窓を閉じ忘れると、大雨の時に雨水が部屋に入って室内のものを濡らす。現在、一般は人力で窓を閉じるが、一旦忘れると、雨水が部屋に侵入し、迷惑をかける。
【先行技術文献】
【特許文献】
【０００３】
【特許文献１】中国特許出願公開第１０７３５５１７７号明細書
【発明の概要】
【発明が解決しようとする課題】
【０００４】
知能感知の防雨日よけを提供し、タイムリーに起動できるとともに自動的に雨を侵入を防止でき、雨を自動的にかつタイムリーにかつ有効的に防止できる。
【課題を解決するための手段】
【０００５】
知能感知の防雨日よけであって、外殻を含み、前記外殻の内部の左端には伝動空間が設置され、前記外殻の内部の右端には窓口が設置され、前記窓口の上側には上方に開口した集水空間が設置され、前記伝動空間の中には伝動機構が設置され、前記窓口の中には窓口を雨水と隔離する隔離機構が設置され、前記窓口の中の下端には窓口の開閉を制御できる感知復帰機構が設置され、前記伝動空間の中には雨を感知して日よけのため水を排出できる感知排水機構が設置され、前記感知排水機構は前記伝動空間の上壁に回転可能に連結された回転棒を含み、前記回転棒の上端には回転歯車が設置され、前記回転棒の下端には第一傘歯車が設置され、前記伝動空間の上端の左右壁にはラックが貫通するように連結され、前記ラックの右端が前記集水空間の中に延びて前記回転歯車と噛み合うように連結され、前記集水空間の中には前記集水空間の中で左右スライド可能な排水板が設置され、前記排水板の中には左方に開口した活動空間が設置され、前記活動空間の中には前記活動空間の中で左右スライド可能な固定板が設置され、前記固定板の左端面には前記活動空間の左壁と連結された弾性ばねが固定的に設置され、前記固定板の左端面が前記ラックの右端面と固定的に連結され、前記排水板の左端面には復帰ばねが前記外殻の左壁と連結されるように設置され、前記集水空間の下壁には上方に開口した押しブロック空間が設置され、前記押しブロック空間の中には前記押しブロック空間の中で上下スライド可能な押しブロックが設置され、前記押しブロックの下端面には前記押しブロック空間の下壁と連結された伸長ばねが固定的に設置され、前記押しブロックの左端面にはロープの一端が固定的に連結され、前記押しブロック空間の左側には通電空間が設置され、前記通電空間の右端には固定導電ブロックが固定され、前記固定導電ブロックの右端が電線により電源と連結され、前記通電空間の左端には前記通電空間の中でスライド可能な移動導電ブロックが設置され、前記移動導電ブロックの左端面には圧力ばねが前記通電空間の左壁と連結されるように固定的に設置され、前記移動導電ブロックの左端面には導線が連結され、前記通電空間の下壁には上方に開口した止めブロック空間が設置され、前記止めブロック空間の中には前記止めブロック空間の中で上下スライド可能な止めブロックが設置され、前記止めブロックの下端面には支持ばねが前記止めブロック空間の下壁と連結されるように固定的に設置され、前記止めブロックの下端面には引縄が固定的に連結されている。
【０００６】
有益的に、前記伝動機構は、前記伝動空間の左壁に固定されたモータを含み、前記モータの右端には伝動軸が伝動可能に連結され、前記伝動軸の右端にはスライド歯車がキージョイントにより連結され、前記スライド歯車の中には左方に開口したスライド空間が設置され、前記スライド空間の中には前記スライド空間の中でスライド可能なスライダが設置され、前記スライダの左端面には細縄が固定的に連結され、前記伝動軸の右側には環状ブロックが設置され、前記環状ブロックの左端面には二本の圧縮ばねが前記スライド歯車の右端面と連結されるように固定的に設置され、前記伝動空間の前後壁には固定軸が回転可能に連結され、前記固定軸には定滑車が設置され、前記定滑車は前記細縄を案内でき、前記伝動軸の左端にはラチェットが設置され、前記ラチェットの中には外方に開口した伸縮空間が十二個設置され、前記伸縮空間の中には前記伸縮空間の中で上下スライド可能な台形ブロックが設置され、前記台形ブロックの下端面にはいずれも前記伸縮空間の下壁と連結された伸縮ばねが設置されている。
【０００７】
有益的には、前記隔離機構は、前記伝動空間の左壁と前記窓口の右壁に回転可能に連結された回転軸を含み、前記回転軸の左端には前記第一傘歯車と噛み合うように連結された第二傘歯車が設置され、前記回転軸の左端には前記第二傘歯車の右側に位置しかつ前記スライド歯車と噛み合うように連結された主動歯車が設置され、前記回転軸の右端には前記窓口の中に位置する巻上カーテンリールが設置され、前記巻上カーテンリールには巻上カーテンが巻きつけられ、前記巻上カーテンの下端には磁性を有する巻上カーテンが設置され、前記窓口の下壁には上方に開口した制限空間が設置されている。
【０００８】
有益的には、前記感知復帰機構は、前記伝動空間の左右壁に回転可能に連結された旋転軸を含み、前記旋転軸の左端には前記ラチェットと噛み合うように連結された従動歯車が設置され、前記旋転軸の右端には主動プーリが設置され、前記主動プーリにはベルトが連結され、前記制限空間の下壁には上方に開口した磁力感知空間が設置され、前記磁力感知空間の左右壁には第二回転軸が回転可能に連結され、前記第二回転軸の左端が前記伝動空間の中に延びており、前記第二回転軸の右端には前記磁力感知空間の中に位置する磁性ブロックが設置され、前記磁性ブロックは上端が磁石と吸い合うことができ、下端が前記磁石と反発し合うことができ、前記第二回転軸の左端には前記伝動空間の中に位置する従動プーリが設置され、前記従動プーリには前記主動プーリが前記ベルトにより連結され、前記窓口の下壁には上方に開口したプレスブロック空間が設置され、前記プレスブロック空間の中には前記プレスブロック空間の中で上下スライド可能なプレスブロックが設置され、前記プレスブロックの下端面には弾力ばねが前記プレスブロック空間の下壁と連結されるように固定的に設置され、前記プレスブロックの左端面には前記細縄の一端が連結され、前記プレスブロックの右端面には前記引縄の一端が連結されている。
【０００９】
有益的に、初期状態のとき、前記磁性ブロックにおいて前記磁石と吸い合う一端が上方に向き、前記スライド歯車が前記主動歯車と噛み合っている。
【００１０】
前記復帰ばねの牽引力は前記排水板が前記集水空間の中でスライドする時に受ける摩擦力より大きい。
【００１１】
前記感知排水機構は、前記集水空間の右壁に位置しかつ外部と連通した排水口を含み、前記排水口の上壁には下方に開口した回転空間が設置され、前記回転空間の前後壁には固定棒が回転可能に連結され、前記固定棒には回転板が回転可能に連結され、前記回転板と前記固定棒とがねじりばねにより連結されている。
【発明の効果】
【００１２】
本願発明の有益効果は：本願発明は構造が簡単で、操作が便利で、作動するとき、より大きな雨脚を自動的に感知することで、タイムリーに自動的に起動して窓を外部と隔離し、雨水を遮断した後に自動的に停止でき、エネルギーの浪費を防止でき、本願発明は復帰する時に日よけの積水を排出でき、次の使用に便利を与える。
【図面の簡単な説明】
【００１３】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１４】
【図１】図１は本願発明の構成図
【図２】図２は本願発明のラチェットの左面全体断面構成図
【図３】図３は図１におけるＡの構成図
【図４】図４は図１におけるＢの構成図
【発明を実施するための形態】
【００１５】
図１〜４の示したように、知能感知の防雨日よけであって、外殻１０を含み、前記外殻１０の内部の左端には伝動空間２４が設置され、前記外殻１０の内部の右端には窓口５７が設置され、前記窓口５７の上側には上方に開口した集水空間４６が設置され、前記伝動空間２４の中には伝動機構２８が設置され、前記窓口５７の中には窓口を雨水と隔離する隔離機構５６が設置され、前記窓口５７の中の下端には窓口の開閉を制御できる感知復帰機構１８が設置され、前記伝動空間２４の中には雨を感知して日よけのため水を排出できる感知排水機構３７が設置され、前記感知排水機構３７は前記伝動空間２４の上壁に回転可能に連結された回転棒３４を含み、前記回転棒３４の上端には回転歯車３６が設置され、前記回転棒３４の下端には第一傘歯車３３が設置され、前記伝動空間２４の上端の左右壁にはラック３５が貫通するように連結され、前記ラック３５の右端が前記集水空間４６の中に延びて前記回転歯車３６と噛み合うように連結され、前記集水空間４６の中には前記集水空間４６の中で左右スライド可能な排水板４５が設置され、前記排水板４５の中には左方に開口した活動空間４３が設置され、前記活動空間４３の中には前記活動空間４３の中で左右スライド可能な固定板４４が設置され、前記固定板４４の左端面には前記活動空間４３の左壁と連結された弾性ばね４２が固定的に設置され、前記固定板４４の左端面が前記ラック３５の右端面と固定的に連結され、前記排水板４５の左端面には復帰ばね４１が前記外殻１０の左壁と連結されるように設置され、前記集水空間４６の下壁には上方に開口した押しブロック空間６８が設置され、前記押しブロック空間６８の中には前記押しブロック空間６８の中で上下スライド可能な押しブロック６７が設置され、前記押しブロック６７の下端面には前記押しブロック空間６８の下壁と連結された伸長ばね６９が固定的に設置され、前記押しブロック６７の左端面にはロープ６６の一端が固定的に連結され、前記押しブロック空間６８の左側には通電空間６４が設置され、前記通電空間６４の右端には固定導電ブロック７１が固定され、前記固定導電ブロック７１の右端が電線７０により電源と連結され、前記通電空間６４の左端には前記通電空間６４の中でスライド可能な移動導電ブロック６５が設置され、前記移動導電ブロック６５の左端面には圧力ばね６２が前記通電空間６４の左壁と連結されるように固定的に設置され、前記移動導電ブロック６５の左端面には導線６３が連結され、前記通電空間６４の下壁には上方に開口した止めブロック空間７２が設置され、前記止めブロック空間７２の中には前記止めブロック空間７２の中で上下スライド可能な止めブロック７５が設置され、前記止めブロック７５の下端面には支持ばね７４が前記止めブロック空間７２の下壁と連結されるように固定的に設置され、前記止めブロック７５の下端面には引縄１１が固定的に連結されている。
【００１６】
有益的には、前記伝動機構２８は、前記伝動空間２４の左壁に固定されたモータ２９を含み、前記モータ２９の右端には伝動軸３０が伝動可能に連結され、前記伝動軸３０の右端にはスライド歯車７７がキージョイントにより連結され、前記スライド歯車７７の中には左方に開口したスライド空間７６が設置され、前記スライド空間７６の中には前記スライド空間７６の中でスライド可能なスライダ８０が設置され、前記スライダ８０の左端面には細縄２３が固定的に連結され、前記伝動軸３０の右側には環状ブロック７９が設置され、前記環状ブロック７９の左端面には二本の圧縮ばね７８が前記スライド歯車７７の右端面と連結されるように固定的に設置され、前記伝動空間２４の前後壁には固定軸８１が回転可能に連結され、前記固定軸８１には定滑車８２が設置され、前記定滑車８２は前記細縄２３を案内でき、前記伝動軸３０の左端にはラチェット３１が設置され、前記ラチェット３１の中には外方に開口した伸縮空間６１が十二個設置され、前記伸縮空間６１の中には前記伸縮空間６１の中で上下スライド可能な台形ブロック６０が設置され、前記台形ブロック６０の下端面にはいずれも前記伸縮空間６１の下壁と連結された伸縮ばね５９が設置されている。
【００１７】
有益的には、前記隔離機構５６は、前記伝動空間２４の左壁と前記窓口５７の右壁に回転可能に連結された回転軸３２を含み、前記回転軸３２の左端には前記第一傘歯車３３と噛み合うように連結された第二傘歯車３８が設置され、前記回転軸３２の左端には前記第二傘歯車３８の右側に位置しかつ前記スライド歯車７７と噛み合うように連結された主動歯車３９が設置され、前記回転軸３２の右端には前記窓口５７の中に位置する巻上カーテンリール１４が設置され、前記巻上カーテンリール１４には巻上カーテン５４が巻きつけられ、前記巻上カーテン５４の下端には磁性を有する巻上カーテン５４が設置され、前記窓口５７の下壁には上方に開口した制限空間１９が設置されている。
【００１８】
有益的には、前記感知復帰機構１８は、前記伝動空間２４の左右壁に回転可能に連結された旋転軸２７を含み、前記旋転軸２７の左端には前記ラチェット３１と噛み合うように連結された従動歯車２６が設置され、前記旋転軸２７の右端には主動プーリ２５が設置され、前記主動プーリ２５にはベルト２２が連結され、前記制限空間１９の下壁には上方に開口した磁力感知空間１６が設置され、前記磁力感知空間１６の左右壁には第二回転軸１５が回転可能に連結され、前記第二回転軸１５の左端が前記伝動空間２４の中に延びており、前記第二回転軸１５の右端には前記磁力感知空間１６の中に位置する磁性ブロック１７が設置され、前記磁性ブロック１７は上端が磁石５５と吸い合うことができ、下端が前記磁石５５と反発し合うことができ、前記第二回転軸１５の左端には前記伝動空間２４の中に位置する従動プーリ２１が設置され、前記従動プーリ２１には前記主動プーリ２５が前記ベルト２２により連結され、前記窓口５７の下壁には上方に開口したプレスブロック空間１２が設置され、前記プレスブロック空間１２の中には前記プレスブロック空間１２の中で上下スライド可能なプレスブロック５８が設置され、前記プレスブロック５８の下端面には弾力ばね１３が前記プレスブロック空間１２の下壁と連結されるように固定的に設置され、前記プレスブロック５８の左端面には前記細縄２３の一端が連結され、前記プレスブロック５８の右端面には前記引縄１１の一端が連結されている。
【００１９】
有益的には、初期状態のとき、前記磁性ブロック１７において前記磁石５５と吸い合う一端が上方に向き、前記スライド歯車７７が前記主動歯車３９と噛み合っている。
【００２０】
有益的には、前記復帰ばね４１の牽引力は前記排水板４５が前記集水空間４６の中でスライドする時に受ける摩擦力より大きい。
【００２１】
有益的には、前記感知排水機構３７は、前記集水空間４６の右壁に位置しかつ外部と連通した排水口５２を含み、前記排水口５２の上壁には下方に開口した回転空間４９が設置され、前記回転空間４９の前後壁には固定棒５０が回転可能に連結され、前記固定棒５０には回転板５１が回転可能に連結され、前記回転板５１と前記固定棒５０とがねじりばね４８により連結されている。
【００２２】
装置全体の機械動作の順序：
１．雨脚が大きいとき、雨が集水空間４６の中に落ちて水圧が左方に排水板４５を押し動かすほど貯まると、排水板４５が左方に移動し、排水板４５が離れて押しブロック６７を押圧し、押しブロック６７が伸長ばね６９の弾力により上方へ移動し、ロープ６６が引っ張られ、移動導電ブロック６５がロープ６６に引き動かされた右方に移動して固定導電ブロック７１と連結されて電流を通し、ロープ６６と固定導電ブロック７１とが連結された後に止めブロック７５が移動導電ブロック６５の加圧を失って支持ばね７４の作用により上方に移動して移動導電ブロック６５を制限し、移動導電ブロック６５が圧力ばね６２の作用により左方へ移動し復帰することを阻止する。
２．移動導電ブロック６５が電源と接続された後、モータ２９が作動し、モータ２９が作動して伝動軸３０を回転連動させ、したがってラチェット３１とスライド歯車７７とが連動し回転し、第二傘歯車３８がしたがって回転し、回転軸３２が回転し、回転軸３２の回転に連動して巻上カーテンリール１４が回転し、したがって巻上カーテン５４と磁石５５とがゆっくりと落ちる。
３．巻上カーテン５４が制限空間１９の中まで下降したとき、磁性ブロック１７と磁石５５とが吸引し合い、窓口５７が雨と隔離され、第二傘歯車３８が回転して第一傘歯車３３を回転連動させ、回転棒３４が回転して回転歯車３６を回転連動させ、ラック３５が連動し回転して右方に移動し、したがって排水板４５が押し動かされて右方に移動し、回転板５１が水圧の作用により上方に翻転し、排水板４５により集水空間４６の中の積水が排水口５２から排出される。
４．磁石５５が磁性ブロック１７と吸引し合い、磁石５５がプレスブロック５８を下方に押圧し、プレスブロック５８が下方に移動して細縄２３と引縄１１とを引っ張り、引縄１１が止めブロック７５を左方に引き動かし、移動導電ブロック６５が止めブロック７５に制限されなくなって左方に移動して固定導電ブロック７１と連結されなくなり、モータ２９が作動しなくなり、スライド歯車７７が細縄２３の牽引力により左方に移動して主動歯車３９を噛み合わなくなる。
５．窓口５７を開けるとき、外部並列接続のスイッチによりモータ２９を逆転させ、モータ２９が逆転してラチェット３１を逆転連動させ、ラチェット３１が逆転して従動歯車２６を回転連動させ、旋転軸２７と旋転軸２７の右端の主動プーリ２５とが連動し回転し、ベルト２２により連結された従動プーリ２１が回転し、第二回転軸１５が回転し、磁性ブロック１７が翻転して磁性ブロック１７と磁石５５とを反発させて隔離機構５６をはじき出し、プレスブロック５８が隔離機構５６に押圧されなくなってプレスブロック５８の作用により上方に移動して引縄１１と細縄２３とを緩め、スライド歯車７７が細縄２３の牽引力を失って圧縮ばね７８の作用により右方に移動して再び主動歯車３９と噛み合うように連結され、主動歯車３９が連動し逆転し、回転軸３２と回転軸３２の左端の第一傘歯車３３が連動し逆転し、巻上カーテン５４が上方に収まって復帰し、排水板４５がラック３５に連動して復帰し、モータ２９を止め、作動が完了する。
【００２３】
上記方式により、本分野の当業者は本願発明の範囲内に作動パターンにより各種な変化を実行できる。
【要約】
【課題】本発明は知能感知の防雨日よけを開示した。
【解決手段】外殻を含み、前記外殻の内部の左端には伝動空間が設置され、前記外殻の内部の右端には窓口が設置され、前記窓口の上側には上方に開口した集水空間が設置され、前記伝動空間の中には本願発明に動力を提供できる伝動機構が設置され、前記窓口の中には窓口を雨水と隔離する隔離機構が設置され、前記窓口の中の下端には窓口の開閉を制御できる感知復帰機構が設置され、前記伝動空間の中には雨を感知して日よけのため水を排出できる感知排水機構が設置され、前記感知排水機構は前記伝動空間の上壁に回転可能に連結された回転棒を含み、前記回転棒の上端には回転歯車が設置され、前記回転棒の下端には第一傘歯車が設置され、前記伝動空間の上端の左右壁にはラックが貫通するように連結されている。
【選択図】図１【図１】
0006808145.tif 000002
【図２】
0006808145.tif 000003
【図３】
0006808145.tif 000004
【図４】
0006808145.tif 000005